(57)【要約】      （修正有）【課題】食品スーパーの袋やポリ袋の開け口を、乾いた指でも片手で瞬時に開ける器具を提供する。【解決手段】器具は、バネ４を嵌め込み、先端に剥離力と弾力を併せ持つ粘着部材５を具えた可動棒３を羽根のある前面台に嵌め込み、前面台の表に突出した可動棒３の先端に押圧の為の指押台６を設け、剥離力と弾力を併せ持つ粘着部材１３を具えた後面台を、使用時ポリ袋の差込みの為の間を設けて、粘着部材５と粘着部材１３が相向き合いになるよう針金状１７で平行に設置する構成とした。【選択図】図４
2015227209.tif 000002
【特許請求の範囲】
【請求項１】
それは、バネ（４）を嵌め込み、先端に剥離力と弾力を併せ持つ粘着部材１（５）を具えた可動棒（３）を羽根（１９）のある前面台（１）に嵌め込み、前面台（１）表に突出した可動棒（３）の先端に押圧の為の指押台（６）を設け、剥離力と弾力を併せ持つ粘着部材２（１３）を具えた後面台（２）を、使用時ポリ袋の差込みの為の間を設けて、粘着部材１（５）と粘着部材２（１３）が相向き合いになるよう針金状（１７）で平行に設置する構成である。
そのうち前面台（１）は、左右両側に台形の羽根（１９）のある四角形で楕円形の孔１（９）を設けた前面台フレーム（７）に楕円形円柱型棒状の可動棒（３）を嵌め込み、内側に突出した可動棒（３）にバネ（４）を通し、先端に小台（８）に固定した粘着部材１（５）を具え、バネ（４）は前面台フレーム（７）内側と小台（８）に固定する。
バネ（４）は可動時には伸びた状態で作用するので縮んだ状態で収める。孔１（９）と可動棒（３）を楕円形にすることで可動棒（３）のずれを防ぐ。表側に突出した可動棒（３）先端に押圧の為の指押台（６）を設ける。前面台フレーム（７）両側に設けた羽根（１９）は使用時、ポリ袋を持ったまま片手での指押しを実現するものであり指押しを補助する。
前面台フレーム（７）内側に突出した可動棒（３）先端に具えた粘着部材１（５）よりも高い頂点をもち、可動棒（３）先端の粘着部材１（５）が貫通する孔２（１０）を設け、孔２（１０）の円周に筒状の壁（１１）を設けた流線型の山型覆い（１２）を前面台フレーム（７）に嵌め込む。筒状の壁（１１）はバネ（４）を支持するものであり、流線型の山型覆い（１２）の高さは、使用時、ポリ袋の開け口と粘着部材との粘着面積をできるだけ少なくし、剥がし易くする為である。
後面台（２）は、前面台フレーム（７）より面積のある後面台フレーム（１６）と、前面台（１）から押圧により可動移動した粘着部材１（５）が後面台フレーム（１６）に到達する位置に粘着部材２（１３）を具え、又、粘着部材２（１３）より頂点を高くもち粘着部材１（５）が粘着部材２（１３）に到達する為の孔３（１４）を設けた山型の覆い（１５）を嵌め込む。山型覆い（１５）の高さは、使用時、ポリ袋の開け口と粘着部材との粘着面積をできるだけ少なくし、剥がし易くする為である。前面台（１）より面積を大きくすることで使用時、ポリ袋の差込み口を分かり易くする。又、固定使用できるよう後面台（２）裏に粘着剤を施す。
以上のような前面台（１）と後面台（２）の粘着部材１（５）と粘着部材２（１３）が相向き合いになるよう平行に針金状（１７）で繋ぎ設置する。使用時、ポリ袋の差込口となる、前面台（１）と後面台（２）の間の部分の針金状（１７）は逆Ｕ字型（１８）であり高さは、使用時、ポリ袋の開け口を持って差しいれた時、粘着部材１（５）と粘着部材２（１３）がポリ袋の開け口に当たるよう位置した。
本発明は以上の構成よりなるポリ袋を片手で瞬時に開ける事を特徴とする器具の構造。
【請求項２】
請求項１記載の前面台フレーム（７）は台形の羽根（１９）を左右両側に設け、楕円形の孔１（９）を設けることを特徴とするポリ袋を片手で瞬時に開ける器具の構造。
【請求項３】
請求項１記載の可動棒（３）は楕円形円柱型棒状であり先端に押圧の為の指押台（６）を設け、請求項２の前面台フレーム（７）の楕円形の孔１（９）に嵌め込み内側に突出した可動棒（３）に縮んだ状態のバネ（４）を嵌め込み、先端に小台（８）に固定した剥離力と弾力を併せ持つ粘着部材１（５）を具え、バネ（４）の両端は前面台フレーム（７）内側と小台（８）に固定することを特徴とするポリ袋を片手で瞬時に開ける器具の構造。
【請求項４】
請求項１記載の流線型の山型覆いは  請求項３記載の前面台フレーム（７）の内側に突出した可動棒（３）先端の粘着部材１（５）より頂点を高くし粘着部材１（５）を具えた可動棒（３）が貫通する孔２（１０）を設け、孔２（１０）の円周に筒状の壁を設け、前面台フレーム（７）に嵌め込むことを特徴とするポリ袋を片手で瞬時に開ける器具の構造。
【請求項５】
請求項１記載の後面台（２）はコの字型の後面台フレーム（１６）に請求項３記載の可動棒（３）が可動移動した時、後面台フレーム（１６）に到達する位置に剥離力と弾力を併せ持つ粘着部材２（１３）を具え可動棒（３）先端の粘着部材１（５）が粘着部材２（１３）に到達できる孔３（１４）を設け、粘着部材２（１３）より高い頂点をもつ山型の覆い（１５）を嵌め込むことを特徴とするポリ袋を片手で瞬時に開ける器具の構造。
【請求項６】
請求項１、請求項２、請求項３、請求項４記載の前面台（１）請求項１、請求項５記載の後面台（２）の覆い側を相向き合わせて平行に、使用時、ポリ袋を差し入れる間を設けて針金状（１７）で前面台（１）の左は後面台（２）の左へ、前面台（１）の右は後面台（２）の右へ繋げ、前面台（１）と後面台（２）の間部分は逆Ｕ字型で高さは粘着部材１（５）と粘着部材２（１３）の位置にポリ袋の開け口がくるよう位置したことを特徴とするポリ袋を片手で瞬時に開ける器具の構造。
【発明の詳細な説明】
【技術分野】
【０００１】本発明はぴったり張り付いて乾いた指で開けるのに困難を要していた、食品スーパーの袋やポリ袋の開け口を、乾いた指でも片手で瞬時に開ける器具に関してのものである。
【背景技術】
【０００２】従来、製造過程や保管などにより開け口がぴったり張り付いている食晶スーパーの袋やポリ袋、特に食品スーパーで用意されているロールしたポリ袋は、乾いた指では開けるのに困難を要していた。その為食品スーバーではわざわざ濡らした布を用意していたが時間も手間もかかり面倒であり、衛生的にも問題があった。又、唾液で濡らす為に指を舐める行為が多くの人に見られるが不衛生である。
又、従来、器具も考えられているが、ポリ袋を途中で持ち変えるなど両手を使わなければならず面倒であった。
【先行技術文献】
【特許文献】
【０００３】
【特許文献１】  特開２０１４−０２４５９９公報
【特許文献２】  特開２００７−０３０９８２公報
【発明の概要】
【発明が解決しようとする課題】
【０００４】これは次のような欠点があった。
（イ）食品スーパーの袋やポリ袋、特に食品スーパーで用意しているぴったりロールした      ポリ袋は乾いた指で開け口を開けるのに困難を要しイライラがあった。
（ロ）ポリ袋の開け口を開ける為に、指を舐める行為を多くの人に見かけるが、不衛生で      ある。
（ハ）食品スーパーではポリ袋を開け易くする為に濡らした布をわざわざ用意しているが      、手間も時間もかかり面倒であった。又、布が乾いていないか気がかりであった。
（ニ）食品スーパーで用意している濡れた布は大勢の人が使うので衛生的に問題があった      。
（ホ）食品スーパーで用意している濡れた布は置き場所を決めていても、ずれたり、くち      ゃくちゃになって見た目も悪かった。
（ヘ）従来、ポリ袋の開け口を開ける為の器具も考えられていたが、ポリ袋を持ち変える      など両手を使わなければならず面倒であった。
【課題を解決する為の手段】
【０００５】それは、バネ（４）を嵌め込み、先端に剥離力と弾力を併せ持つ粘着部材１（５）を具えた可動棒（３）を羽根（１９）のある前面台（１）に嵌め込み、前面台（１）表に突出した可動棒（３）の先端に押圧の為の指押台（６）を設け、剥離力と弾力を併せ持つ粘着部材２（１３）を具えた後面台（２）を、使用時ポリ袋の差込みの為の間を設けて、粘着部材１（５）と粘着部材２（１３）が相向き合いになるよう針金状（１７）で平行に設置する構成である。
そのうち前面台（１）は、左右両側に台形の羽根（１９）のある四角形で楕円形の孔１（９）を設けた前面台フレーム（７）に楕円形円柱型棒状の可動棒（３）を嵌め込み、内側に突出した可動棒（３）にバネ（４）を通し、先端に小台（８）に固定した粘着部材１（５）を具え、バネ（４）は前面台フレーム（７）内側と小台（８）に固定する。
バネ（４）は可動時には伸びた状態で作用するので縮んだ状態で収める。孔１（９）と可動棒（３）を楕円形にすることで可動棒（３）のずれを防ぐ。表側に突出した可動棒（３）先端に押圧の為の指押台（６）を設ける。前面台フレーム（７）両側に設けた羽根（１９）は使用時、ポリ袋を持ったまま片手での指押しを実現するものであり指押しを補助する。
前面台フレーム（７）内側に突出した可動棒（３）先端に具えた粘着部材１（５）よりも高い頂点をもち、可動棒（３）先端の粘着部材１（５）が貫通する孔２（１０）を設け、孔２（１０）の円周に筒状の壁（１１）を設けた流線型の山型覆い（１２）を前面台フレーム（７）に嵌め込む。筒状の壁（１１）はバネ（４）を支持するものであり、流線型の山型覆い（１２）の高さは、使用時、ポリ袋の開け口と粘着部材との粘着面積をできるだけ少なくし、剥がし易くする為である。
後面台（２）は、前面台フレーム（７）より面積のある後面台フレーム（１６）と、前面台（１）から押圧により可動移動した粘着部材１（５）が後面台フレーム（１６）に到達する位置に粘着部材２（１３）を具え、又、粘着部材２（１３）より頂点を高くもち粘着部材１（５）が粘着部材２（１３）に到達する為の孔３（１４）を設けた山型の覆い（１５）を嵌め込む。山型覆い（１５）の高さは、使用時、ポリ袋の開け口と粘着部材との粘着面積をできるだけ少なくし、剥がし易くする為である。前面台（１）より面積を大きくすることで使用時、ポリ袋の差込み口を分かり易くする。又、固定使用できるよう後面台（２）裏に粘着剤を施す。
以上のような前面台（１）と後面台（２）の粘着部材１（５）と粘着部材２（１３）が相向き合いになるよう平行に針金状（１７）で繋ぎ設置する。使用時、ポリ袋の差込口となる、前面台（１）と後面台（２）の間の部分の針金状（１７）は逆Ｕ字型（１８）であり高さは、使用時、ポリ袋の開け口を持って差しいれた時、粘着部材１（５）と粘着部材２（１３）がポリ袋の開け口に当たるよう位置した。
本発明は以上の構成よりなるポリ袋を片手で瞬時に開ける器具である。
【発明の効果】
【０００６】（イ）食品スーパーの袋やポリ袋、特に食品スーパーで用意しているぴったりロールした      ポリ袋は乾いた指で開け口を開けるのに困難を要しイライラがあったが、本発明器      具は乾いた指でも簡単に開ける事ができ今までのイライラがなくなる。
（ロ）ポリ袋の開け口を開ける為に、指を舐める行為を多くの人に見かけるが、不衛生で      あった、本発明器具は指を唾液で湿らす事無く乾いた指で簡単に開けることができ      衛生的である。
（ハ）食品スーパーではポリ袋を開け易くする為に濡らした布をわざわざ用意しているが      、手間も時間もかかり面倒であった。又、布が乾いていないか気がかりであったが      、本発明器具は便利な場所に設置するだけで使用できるので手間も時間もとられず      面倒も気がかりもなくなる。
（ニ）食品スーパーで用意している濡れた布は大勢の人が使うので衛生的に問題があった      が、本発明器具は指で押すだけの操作で衛生的である。
（ホ）食品スーパーで用意している濡れた布は置き場所を決めていても、ずれたり、くち      ゃくちゃになって見た目も悪かったが、本発明器具はポリ袋を左右どちらからでも      差し入れ可能なので便利な場所に固定設置でき見た目もきれいである。
（ヘ）従来、ポリ袋の開け口を開ける為の器具も考えられていたが、途中でポリ袋を持ち      変えるなど両手を使わなければならず面倒であった、本発明器具はポリ袋を持って      から開け口を開ける、取り出すまでの一連の作業を片手で瞬時に済ますことができ      るので面倒がない。
【図面の簡単な説明】
【０００７】
【図１】本発明の立体斜視図である。
【図２】本発明の断面方向図である。
【図３】本発明のａ−ｂ断面図である。
【図４】本発明のｃ−ｄ断面図である。
【図５】本発明の実施説明図である。
【図６】本発明の押圧を実施した時のポリ袋の形態の断面図である。
【図７】本発明の押圧を解除した時のポリ袋の形態の断面図である。
【発明の実施をする為の形態】
【０００８】以下、発明を実施する為の形態について説明する。
それは、バネ（４）を嵌め込み、先端に剥離力と弾力を併せ持つ粘着部材１（５）を具えた可動棒（３）を羽根（１９）のある前面台（１）に嵌め込み、前面台（１）表に突出した可動棒（３）の先端に押圧の為の指押台（６）を設け、剥離力と弾力を併せ持つ粘着部材２（１３）を具えた後面台（２）を、使用時ポリ袋の差込みの為の間を設けて、粘着部材１（５）と粘着部材２（１３）が相向き合いになるよう針金状（１７）で平行に設置する構成である。
そのうち前面台（１）は、左右両側に台形の羽根（１９）のある四角形で楕円形の孔１（９）を設けた前面台フレーム（７）に楕円形円柱型棒状の可動棒（３）を嵌め込み、内側に突出した可動棒（３）にバネ（４）を通し、先端に小台（８）に固定した粘着部材１（５）を具え、バネ（４）は前面台フレーム（７）内側と小台（８）に固定する。
バネ（４）は可動時には伸びた状態で作用するので縮んだ状態で収める。孔１（９）と可動棒（３）を楕円形にすることで可動棒（３）のずれを防ぐ。表側に突出した可動棒（３）先端に押圧の為の指押台（６）を設ける。前面台フレーム（７）両側に設けた羽根（１９）は使用時、ポリ袋を持ったまま片手での指押しを実現するものであり指押しを補助する。
前面台フレーム（７）内側に突出した可動棒（３）先端に具えた粘着部材１（５）よりも高い頂点をもち、可動棒（３）先端の粘着部材１（５）が貫通する孔２（１０）を設け、孔２（１０）の円周に筒状の壁（１１）を設けた流線型の山型覆い（１２）を前面台フレーム（７）に嵌め込む。筒状の壁（１１）はバネ（４）を支持するものであり、流線型の山型覆い（１２）の高さは、使用時、ポリ袋の開け口と粘着部材との粘着面積をできるだけ少なくし、剥がし易くする為である。
後面台（２）は、前面台フレーム（７）より面積のある後面台フレーム（１６）と、前面台（１）から押圧により可動移動した粘着部材１（５）が後面台フレーム（１６）に到  達する位置に粘着部材２（１３）を具え、又、粘着部材２（１３）より頂点を高くもち粘着部材１（５）が粘着部材２（１３）に到達する為の孔３（１４）を設けた山型の覆い（１５）を嵌め込む。山型覆い（１５）の高さは、使用時、ポリ袋の開け口と粘着部材との粘着面積をできるだけ少なくし、剥がし易くする為である。前面台（１）より後面台（２）の面積を大きくすることで使用時、ポリ袋の差込み口を分かり易くする。
又、固定使用できるよう後面台（２）裏に粘着剤を施す。
以上のような前面台（１）と後面台（２）の粘着部材１（５）と粘着部材２（１３）が相向き合いになるよう平行に針金状（１７）で繋ぎ設置する。使用時、ポリ袋の差込口となる、前面台（１）と後面台（２）の間の部分の針金状（１７）は逆Ｕ字型（１８）であり高さは、使用時、ポリ袋の開け口を持って器具に差しいれた時、粘着部材１（５）と粘着部材２（１３）がポリ袋の開け口に当たるよう位置した。
実施の際は、まず水平面、垂直面、斜面のいずれか使いやすい場所に後面台（２）裏に施した粘着剤により固定する。ポリ袋の開け口（３０）を親指と人差し指で持ち前面台（１）と後面台（２）の間に差し入れ、ポリ袋の持っている部分を人差し指で羽根（１９）に押し付けるように挟み親指で指押台（６）を押圧する。押圧によってバネ（４）が伸びて先端に粘着部材１（５）を具えた可動棒（３）が後面台（２）に向かって可動移動しポリ袋の開け口（２１）を挟んで後面台（２）に具えた粘着部材２（１３）に到達する。その時ポリ袋の開け口の片一方面（２２）は粘着部材１（５）に張り付きもう片方面（２３）は粘着部材２（１３）に張り付く、親指を指押台から離すと可動棒（３）の粘着部材１（５）にポリ袋の片一方面（２２）が張り付いたままバネ（４）の縮力により前面台（１）の流線型の山型覆いの中に戻っていく、ポリ袋のもう片方面（２３）後面台（２）の粘着部材２（１３）に張り付いたままとなり、開け口が開くのである。
流線型の山型覆い（１２）と山型覆い（１５）は張り付いたポリ袋の面をできるだけ小さくすることで取り出し易く、流線型にすることでポリ袋の差込みがスムーズである。
本発明は以上の構成よりなる、ポリ袋を片手で瞬時に開ける器具である。
【符号の説明】
【０００９】１    前面台
２    後面台
３    可動棒
４    バネ
５    粘着部材１
６    指押台
７    前面台フレーム
８    小台
９    孔１
１０  孔２
１１  筒状の壁
１２  流線型の山型覆い
１３  粘着部材２
１４  孔３
１５  山型の覆い
１６  後面台フレーム
１７  針金状
１８  逆Ｕ字型
１９  羽根
２０  粘着剤
２１  ポリ袋の開け口
２２  袋の片一方面
２３  袋のもう片方面
【図１】
2015227209.tif 000003
【図２】
2015227209.tif 000004
【図３】
2015227209.tif 000005
【図４】
2015227209.tif 000006
【図５】
2015227209.tif 000007
【図６】
2015227209.tif 000008
【図７】
2015227209.tif 000009